(57)【特許請求の範囲】
【請求項１】
一部が開放された開口部を有する容器とともに使用可能な携帯用スピーカ装置であって、
少なくとも１つのスピーカと、
有無線通信を用いて外部電子装置から再生される音源データを受けて前記スピーカを介して出力するように信号処理する信号処理部と、
上部及び下部が開放された円筒状で具備され上部及び下部のうち少なくとも１つに前記スピーカが設置され、内部に前記信号処理部が設置されるハウジングと、
前記ハウジングの下端に結合され、前記開口部に装着されて前記スピーカから出力される前記音源データの再生音を前記容器に伝達されるようにする第１装着部材と、
を含み、
前記スピーカは、
前記ハウジングの上部に配置され前記再生音の高音を前記ハウジングの上部方向に出力する第１スピーカと、
前記ハウジングの下部に配置され前記再生音の低音を前記ハウジングの下部方向に出力する第２スピーカと、を含み、
前記ハウジングは、
前記第１スピーカの上部に結合されて前記第１スピーカの前面を覆う第１ラバーダンパと、
前記第１ラバーダンパの上部に配置され前記ハウジングの内側上端と結合されて前記第１スピーカを保護するように前記ハウジングの開放された上部を覆う保護カバーと、
前記ハウジングの内部に挿入されて前記ハウジングに固定結合され、内部に電源スイッチ、バッテリ及び充電用ソケットコネクタが実装されるプリント回路基板を固定し、前記第１及び前記第２スピーカ及び前記信号処理部を固定させる固定部材と、
前記第２スピーカの下部に結合されて前記第２スピーカの前面を覆う第２ラバーダンパと、
内側下端に形成され、前記第１装着部材の上部が固定結合される結合溝と、を含むことを特徴とする携帯用スピーカ装置。
【請求項２】
前記第１装着部材は、
下端の外側又は内側空間に前記開口部と結合される容器結合部と、
前記ハウジングの前記結合溝に結合されるハウジング結合部と、
前記ハウジング結合部の内側に具備され、前記第２ラバーダンパの下部に積層されて前記ハウジングの下部面を覆う平板部と、を含むことを特徴とする請求項１に記載の携帯用スピーカ装置。
【請求項３】
一部が開放された開口部を有する容器とともに使用可能な携帯用スピーカ装置であって、
少なくとも１つのスピーカと、
有無線通信を用いて外部電子装置から再生される音源データを受けて前記スピーカを介して出力するように信号処理する信号処理部と、
上部及び下部が開放された円筒状で具備され上部及び下部のうち少なくとも１つに前記スピーカが設置され、内部に前記信号処理部が設置されるハウジングと、
前記ハウジングの下端に結合され、前記開口部に装着されて前記スピーカから出力される前記音源データの再生音を前記容器に伝達されるようにする第１装着部材と、
を含み、
前記携帯用スピーカ装置は、前記第１装着部材の下端と結合され、下部に前記開口部が互いに異なる直径を有する前記容器が挿入、装着される第２装着部材をさらに含み、
前記スピーカは、
前記ハウジングの上部に配置され前記再生音の高音を前記ハウジングの上部方向に出力する第１スピーカと、
前記ハウジングの下部に配置され前記再生音の低音を前記ハウジングの下部方向に出力する第２スピーカと、を含み、
前記ハウジングは、
前記第１スピーカの上部に結合されて前記第１スピーカの前面を覆う第１ラバーダンパと、
前記第１ラバーダンパの上部に配置され前記ハウジングの内側上端と結合されて前記第１スピーカを保護するように前記ハウジングの開放された上部を覆う保護カバーと、
前記ハウジングの内部に挿入されて前記ハウジングに固定結合され、内部に電源スイッチ、バッテリ及び充電用ソケットコネクタが実装されるプリント回路基板を固定し、前記第１及び前記第２スピーカ及び前記信号処理部を固定させる固定部材と、
前記第２スピーカの下部に結合されて前記第２スピーカの前面を覆う第２ラバーダンパと、
内側下端に形成され、前記第１装着部材の上部が固定結合される結合溝と、を含み、
前記第１装着部材は、
下端の外側又は内側空間に前記開口部と結合される容器結合部と、
前記ハウジングの前記結合溝に結合されるハウジング結合部と、
前記ハウジング結合部の内側に具備され、前記第２ラバーダンパの下部に積層されて前記ハウジングの下部面を覆う平板部と、を含み、
前記第２装着部材は、
上部が離隔され下部が互いに結合された二重構造の円筒状を有し、前記第１装着部材の前記容器結合部が挿入される容器結合部挿入口と、
前記容器結合部挿入口の内側に具備され下部から前記容器の前記開口部が挿入される容器挿入口と、を含む、
ことを特徴とする携帯用スピーカ装置。
【請求項４】
前記携帯用スピーカ装置は、
室内に設置されて前記音源データの前記再生音を出力するように据え置くか、又は前記携帯用スピーカ装置の電源供給用バッテリを充電させるように据え置かれるスタンドをさらに含むことを特徴とする請求項３に記載の携帯用スピーカ装置。
【発明の詳細な説明】
【技術分野】
【０００１】
本発明は、携帯用スピーカ装置に関し、より具体的には、多様な種類の使い捨て容器をリサイクルしたり、スピーカ装置とともに使用する専用の容器を製作及び利用し、よりクリアかつクリーンな音質を提供するために、容器に装着されて容器を通してスピーカの音質、低音効果及び音の大きさが向上するように容器とともに使用可能な携帯用スピーカ装置及びその処理方法に関する。
【背景技術】
【０００２】
最近、デジタル技術及び移動通信技術の発達によって、ユーザがモバイル機器、例えば、スマートフォン、タブレットＰＣ、ノートブックなどを携帯し、携帯したモバイル機器を場所に拘らず使用できるのが実情である。かかるモバイル機器らは基本的に音楽ファイルを保存し保存された音楽ファイルを再生できる機能を有する。
【０００３】
最近では、モバイル機器で再生された音楽ファイルを、例えば、ブルートゥース無線通信を利用して伝送されて出力するスピーカ装置、ヘッドセット装置などが多く開発、製作及び流通されている。特に、スピーカ装置は、ブルートゥーススピーカ装置と呼ばれ、野外活動の多いユーザの生活パターンに合わせて大半のユーザが携帯して望む場所で音楽鑑賞を提供できるという長所を有する。
【０００４】
ブルートゥース（Ｂｌｕｅｔｏｏｔｈ）は、標準近距離無線通信のためのプロトコルであって、かかるブルートゥース装置は、一般にモバイル機器とペアリング（ｐａｉｒｉｎｇ）という一連の作業を通して２つの装置が互いに認識及び接続され、ブルートゥース通信ネットワークを介して多様な信号を互いに伝送できる。
しかし、大半のブルートゥーススピーカ装置は、モバイル機器のスピーカ装置に比べて音質が良いが、家庭又は他の場所にある高出力のスピーカ装置の音質に比べるとだいぶ劣る。よって、ユーザはモバイル機器に保存された音楽ファイルをより良い音質で鑑賞しようとする欲求が増大し、より良い音質のスピーカ装置を探すことになる。したがって、ユーザの欲求を満足させることができる新しい方式のブルートゥーススピーカ装置が必要な実情である。
【発明の概要】
【発明が解決しようとする課題】
【０００５】
本発明の目的は、音質、低音効果及び音の大きさを向上させるための携帯用スピーカ装置及びその利用方法を提供することにある。
【０００６】
本発明の他の目的は、多様な容器とともに使用可能な携帯用スピーカ装置及びその利用方法を提供することにある。
【０００７】
本発明のさらに他の目的は、使い捨て容器をリサイクルして環境を保護し、新しい方式で音楽を楽しむことができるように提供される携帯用スピーカ装置及びその利用方法を提供することにある。
【課題を解決するための手段】
【０００８】
上記目的を達成するための、本発明の携帯用スピーカ装置は、少なくとも１つのスピーカを具備して容器に装着され、モバイル機器から無線通信を介して再生された音源データを受けて再生音を出力することにその一特徴がある。かかる本発明の携帯用スピーカ装置は、スピーカの再生音が容器に伝達されて出力するので再生音の音質、低音効果及び音の大きさが向上されることができる。
【０００９】
この特徴による本発明の携帯用スピーカ装置は、一部が開放された開口部を有する容器とともに使用可能なように提供される。
【００１０】
この特徴の携帯用スピーカ装置は、少なくとも１つのスピーカと、有無線通信を用いて外部電子装置から再生される音源データを受けて前記スピーカを介して出力するように信号処理する信号処理部と、上部及び下部が開放された柱状で具備され上部及び下部のうち少なくとも１つに前記スピーカが設置され、内部に前記信号処理部が設置されるハウジングと、前記ハウジングの下端に結合され、前記開口部に装着されて前記スピーカから出力される前記音源データの再生音を前記容器に伝達されるようにする第１装着部材と、を含む。
【００１１】
この特徴の一実施形態において、前記携帯用スピーカ装置は、前記第１装着部材の下端と結合され、下部に前記開口部が互いに異なる直径を有する前記容器が挿入、装着される第２装着部材をさらに含む。
【００１２】
他の実施形態において、前記スピーカは、前記ハウジングの上部に配置され前記再生音の高音を前記ハウジングの上部方向に出力する第１スピーカと、前記ハウジングの下部に配置され前記再生音の低音を前記ハウジングの下部方向に出力する第２スピーカと、を含む。
【００１３】
さらに他の実施形態において、前記信号処理部は、前記外部電子装置と互いに無線通信可能なように処理する無線通信部と、前記無線通信部に受信された前記音源データの再生音を前記第１及び前記第２スピーカに出力するように信号処理する音源処理部と、前記無線通信部及び前記音源処理部を制御するコントローラと、を含む。
【００１４】
さらに他の実施形態において、前記ハウジングは、前記第１スピーカの上部に結合されて前記第１スピーカの前面を覆う第１ラバーダンパと、前記第１ラバーダンパの上部に配置され前記ハウジングの内側上端と結合されて前記第１スピーカを保護するように前記ハウジングの開放された上部を覆う保護カバーと、前記ハウジングの内部に挿入されて前記ハウジングに固定結合され、内部に電源スイッチとバッテリ及び充電用ソケットコネクタが実装されるプリント回路基板を固定し、前記第１及び前記第２スピーカ及び前記信号処理部を固定させる固定部材と、前記第２スピーカの下部に結合されて前記第２スピーカの前面を覆う第２ラバーダンパと、内側下端に形成され、前記第１装着部材の上部が固定結合される結合溝と、を含む。
【００１５】
さらに他の実施形態において、前記第１装着部材は、下端の外側又は内側空間に前記開口部と結合される容器結合部と、前記ハウジングの前記結合溝に結合されるハウジング結合部と、前記ハウジング結合部の内側に具備され、前記第２ラバーダンパの下部に積層されて前記ハウジングの下部面を覆う平板部と、を含む。
【００１６】
さらに他の実施形態において、前記第２装着部材は、上部が離隔され下部が互いに結合された二重構造の円筒状を有し、前記第１装着部材の前記容器結合部が挿入される容器結合部挿入口と、前記容器結合部挿入口の内側に具備され下部から前記容器の前記開口部が挿入される容器挿入口と、を含む。
【００１７】
さらに他の実施形態において、前記携帯用スピーカ装置は、室内に設置されて前記音源データの前記再生音を出力するように据え置くか、又は前記携帯用スピーカ装置の電源供給用バッテリを充電させるように据え置かれるスタンドをさらに含む。
【００１８】
本発明の他の特徴によれば、携帯用スピーカ装置の利用方法が提供される。
【００１９】
この特徴による本発明の携帯用スピーカ装置の利用方法は、前記携帯用スピーカ装置の電源スイッチが押されると、前記携帯用スピーカ装置のバッテリによって電源を供給し、外部のモバイル機器から無線通信を介して前記携帯用スピーカ装置を認識し、前記モバイル機器と前記携帯用スピーカ装置を接続し、前記携帯用スピーカ装置の第１装着部材を一部が開放された開口部を有する容器に装着し；次いで、前記モバイル機器から音源データを再生して前記モバイル機器から無線通信を介して再生された前記音源データを受け入れ、前記音源データの再生音を容器に伝達されるように出力する。
【００２０】
この特徴の一実施形態において、上記方法は、前記容器の前記開口部が前記第１装着部材に装着される直径大きさより小さいサイズを有する場合、前記第１装着部材に第２装着部材を結合し、前記第２装着部材に前記容器を装着することをさらに含む。
【発明の効果】
【００２１】
上述のように、本発明の携帯用スピーカ装置は、少なくとも１つのスピーカを具備し、多様な種類、材質、形状及び大きさの容器に装着され、無線通信又は有線を用いて外部電子装置から音源データを伝送されて音源データの再生音を出力することによって、音源データの再生音が容器に伝達されて出力され、これを通じて再生音の音質、低音効果及び音の大きさなどを向上させ、携帯用スピーカ装置の再生音がクリアかつクリーンに提供されることができる。
【００２２】
また、本発明の携帯用スピーカ装置は、少なくとも１つのスピーカを具備し、下部が多様な種類、材質、形状及び大きさによる容器に装着され、音源データの再生音を出力することによって、ユーザに新しい方式と印象で音楽を鑑賞できるように提供できる。
【００２３】
また、本発明の携帯用スピーカ装置は、クレードルの形態の装着部材を提供することによって、音楽鑑賞時、多様な種類、材質、形状及び大きさによる容器を使用することができ、これを通じて容器のリサイクル及び環境保護が可能である。
【００２４】
さらには、本発明の携帯用スピーカ装置は、据え置き及びバッテリ充電が可能なスタンドを提供することによって、普段は室内でも据え置いて保管することができ、音楽を鑑賞したり、バッテリを充電するために使用することができる。
【図面の簡単な説明】
【００２５】
【図１】本発明による携帯用スピーカ装置の構成を示す斜視図である。
【図２】本発明による携帯用スピーカ装置の構成を示す斜視図である。
【図３】図１に示す携帯用スピーカ装置に接続部材が装着された状態を示す斜視図である。
【図４】図３に示す携帯用スピーカ装置と接続部材の分離状態を示す斜視図である。
【図５】図３に示す携帯用スピーカ装置の分解斜視図である。
【図６】図３に示す携帯用スピーカ装置の断面図である。
【図７】図１又は図３に示す携帯用スピーカ装置の構成を示すブロック図である。
【図８】本発明の一実施形態に係る携帯用スピーカ装置が容器に装着された状態を示す図である。
【図９】本発明の他の実施形態に係る携帯用スピーカ装置が多様な大きさの容器に装着された状態を示す図である。
【図１０】本発明の携帯用スピーカ装置が装着されるスタンドの構成と装着状態を示す図である。
【図１１】本発明の携帯用スピーカ装置が装着されるスタンドの構成と装着状態を示す図である。
【図１２】本発明による携帯用スピーカ装置の利用手順を示すフローチャートである。
【発明を実施するための形態】
【００２６】
本発明の実施形態は様々な形態に変形されてもよく、本発明の範囲が以下で述べる実施形態によって限定されるものと解釈されるべきではない。本実施形態は本発明の属する技術の分野における平均的な知識を有する者に本発明をより完全に説明するために提供されるものである。したがって、図面での構成要素の形状などはより明確な説明を強調するために誇張されたものである。
【００２７】
以下、添付された図１乃至図１２を参照して本発明の実施形態を詳細に説明する。
【００２８】
図１及び図２は、本発明による携帯用スピーカ装置の構成を示す斜視図である。
【００２９】
図１及び図２を参照すると、本発明の携帯用スピーカ装置１００は、少なくとも１つのスピーカ（図５の１０６，１０８）を具備し、多様な種類、材質、形状及び大きさの容器（図８の２００、図９の２１０〜２３０）に装着され、無線通信又は有線を用いて外部電子装置、例えば、モバイル機器（図７の２０）から音源データを伝送されて音源データを再生する。この時、携帯用スピーカ装置１００は、音源データの再生音が容器に伝達されるように出力するので、再生音の音質、低音効果及び音の大きさを向上させる。
【００３０】
本発明における容器２００〜２３０は、一部が開放された開口部（図８の２０２）を有し、多様な種類、材質、形状及び大きさを有する。また、容器２００〜２３０は、開口部２０２の直径が多様な大きさを有してもよい。かかる容器２００〜２３０には一回使って容易に捨てられるもので、例えば、コーヒー瓶、ジュース瓶、飲料瓶、ワイン瓶、牛乳瓶などのように、デザインが可愛くて使い捨てにするには勿体ない場合が多い。よって、本発明の携帯用スピーカ装置１００は、かかる容器ら２００〜２３０と共に使用することができるように提供される。本発明の実施形態で、容器２００〜２３０は、携帯用スピーカ装置１００の再生音がクリアかつクリーンに提供されることができるようにガラス瓶を用いて説明する。また、本発明の容器２００〜２３０には平常時に使用可能で、一部が開放された開口部を有する密閉された形状で提供される多様なもの、例えば、タンブラー、インテリア小物、磁器、花瓶などを活用してもよく、携帯用スピーカ装置１００とともに使用可能なように別途製作された専用の容器を使用してもよい。
【００３１】
したがって、本発明の携帯用スピーカ装置１００は、一側が多様な種類、材質、形状及び大きさの容器２００〜２３０に装着され、音源データの再生音が容器２００〜２３０に伝達されるように出力することによって、容器２００〜２３０が真空管と類似した機能を処理して再生音の音質、低音効果及び音の大きさなどを向上させることができ、これを通じてクリアかつクリーンな音を提供でき、ユーザが風変わりな感じで音源を楽しむことができる。また、本発明では、使い捨て容器２００〜２３０を利用して携帯用スピーカ装置１００とともに用いることによって、容器２００〜２３０のリサイクルが可能で、これを通じて環境保護が可能である。
【００３２】
そのために、本発明の携帯用スピーカ装置１００は、ハウジング１１０と、上部がハウジング１１０と結合され下部が容器２００に装着される第１装着部材１３０と、を含む。
【００３３】
この実施形態のハウジング１１０は、例えば、環境にやさしい素材である無毒性のシリコン材質で具備され、内部に少なくとも１つのスピーカ、音源データを受け入れて再生処理する信号処理部及び電源を供給するバッテリなどが固設される円筒状で具備される。無論、ハウジング１１０は、内部空間に携帯用スピーカ装置１００の構成要素らが設置可能で、容器に装着可能な多様な形状で提供されてもよい。
【００３４】
また、ハウジング１１０は、上部及び下部が開放される。ハウジング１１０の開放された上部及び／又は下部にはスピーカが配置される。また、ハウジング１１０は、上部に設置されたスピーカを保護するための保護カバー１１２がさらに具備される。
【００３５】
また、ハウジング１１０の一側には携帯用スピーカ装置１００を作動させる電源スイッチ１０２と、電源供給源（図示せず）と接続されて内部のバッテリを充電したり、外部電子装置のプラグコネクタ（図５の１０）と接続されて有線で音源データを受け入れるためのソケットコネクタ１０４と、が具備される。
【００３６】
そして、第１装着部材１３０は、ハウジング１１０と略類似の又は同じ材質、例えば、シリコン材質で具備され、ハウジング１１０の下部に結合される。また、第１装着部材１３０は、下端に容器２００〜２３０と結合される容器結合部１３２が具備される。容器結合部１３２は、器２００〜２３０の開口部２０２の直径大きさに応じて、内側１３４又は外側に容器２００〜２３０の開口部２０２が挿入されるか、又は挟まれる。したがって、第１装着部材１３０を介して携帯用スピーカ装置１００が容器２００〜２３０に装着される。この場合、容器２００〜２３０は、第１装着部材１３０の内側直径又は外側直径に適合した直径の開口部２０２を有する。
【００３７】
図３は、図１に示す携帯用スピーカ装置に第２装着部材が装着された状態を示す斜視図で、図４は、図３に示す携帯用スピーカ装置と第２装着部材の分離状態を示す斜視図である。
【００３８】
図３及び図４を参照すると、本発明の携帯用スピーカ装置１００は、多様な大きさの開口部２０２を有する容器ら２００〜２３０の各々に装着可能なように第１装着部材１３０の下部に挿入、結合される第２装着部材１４０をさらに具備する。
【００３９】
この実施形態で、第２装着部材１４０は、例えば、クレードル（ｃｒａｄｌｅ）として具備され、上部が離隔され下部が互いに結合された二重構造の円筒状を有する。第２装着部材１４０は、第１装着部材１３０と略類似の又は同じ材質、例えば、シリコン材質で具備される。
【００４０】
第２装着部材１４０は、内壁と外壁で構成され、内壁と外壁の上部は互いに所定間隔に離隔され、内壁と外壁の下部は互いに結合される。そのために、この実施形態における内壁は弾性力を有し、上部から下部方向に傾斜して形成される。他の例として、内壁は容器の開口部外側に形成された螺旋状の溝に挿入、結合されるように螺旋状の突起を形成し、これを通じて内壁と容器の開口部が互いに結合される形態で提供されてもよい。
【００４１】
したがって、第２装着部材１４０は、内壁と外壁の間の空間に第１装着部材１３０の容器結合部１３２が挿入され、内壁の内側に容器２００〜２３０の開口部２０２が挿入される。すなわち、第２装着部材１４０は、第１装着部材１３０の容器結合部１３２が挿入される容器結合部挿入口１４２と、容器結合部挿入口１４２の内側に具備され下部から容器２００〜２３０の開口部２０２が挿入される容器挿入口１４４を具備する。
【００４２】
したがって、容器挿入口１４４は、容器２００〜２３０の開口部２０２の直径大きさに応じて内壁が外壁側に広がって多様な大きさの容器を装着できる。
【００４３】
次は、本発明による携帯用スピーカ装置の構成を詳細に説明する。
【００４４】
図５は、図３に示す携帯用スピーカ装置の分解斜視図で、図６は、図３に示す携帯用スピーカ装置の断面図で、図７は、図１又は図３に示す携帯用スピーカ装置の構成を示すブロック図である。
【００４５】
図５乃至図７を参照すると、この実施形態の携帯用スピーカ装置１００は、ハウジング１１０と、電源スイッチ１０２と、ソケットコネクタ１０４と、第１及び第２スピーカ１０６，１０８と、保護カバー１１２と、固定部材１１４と、プリント回路基板１２０と、信号処理部１２２と、バッテリ１２４と、第１及び第２装着部材１３０，１４０と、を含む。また、携帯用スピーカ装置１００は、第１及び第２ラバーダンパ１０７，１０９を含む。
【００４６】
ハウジング１１０は、上部及び下部が開放され、上部から下部へ向かって中央部が内側方向に凹状に湾曲する（ｒｏｕｎｄ）円筒状を有し、内部空間に固定部材１１４が設置される。ハウジング１１０の開放された上部内側には保護カバー１１２が設置される。また、ハウジング１１０の一側には電源スイッチ１０２とソケットコネクタ１０４の各々を設置するように形成される第１電源スイッチ装着孔１１６及び第１ソケットコネクタ装着孔１１８が提供される。
【００４７】
第１スピーカ１０６は、ハウジング１１０の上部に位置するように固定部材１１４の上端に固設され、第２スピーカ１０８は、ハウジング１１０の下部に位置するように固定部材１１４の下端に固設される。第１及び第２スピーカ１０６，１０８の各々の前面には第１及び第２ラバーダンパ１０７，１０９が設置される。この実施形態で、第１スピーカ１０６は、音源データの高音を出力し、第２スピーカ１０８は音源データの低音を出力する。
【００４８】
第１及び第２ラバーダンパ１０７，１０９は、第１及び第２スピーカ１０６，１０８の各々の上部を覆って密閉して、第１及び第２スピーカ１０６，１０８の各々から出力される再生音をハウジング１１０の外部に伝達する。
【００４９】
保護カバー１１２は、第１ラバーダンパ１０７の上端でハウジング１１０の内側上端に結合されて外部衝撃から第１スピーカ１０６を保護する。この実施形態の保護カバー１１２は、図６に示すように、ハウジング１１０の内側上端に結合される結合リング１１２ｂと、結合リング１１２ｂの内側に円形の平板に形成され、第１ラバーダンパ１０７に隣接するように積層されて第１ラバーダンパ１０７を覆うカバー１１２ａと、で構成される。
【００５０】
固定部材１１４は、ハウジング１１０の内側壁に対応して上部及び下部が開放された円筒状で具備される。固定部材１１４には上部に第１スピーカ１０６が固設され、下部に第２スピーカ１０８が固設される。また、固定部材１１４の内部にはプリント回路基板１２０が固設される。また、固定部材１１４の一側にはハウジング１１０の第１電源スイッチ装着孔１１６と第１ソケットコネクタ装着孔１１８の各々に対応する位置に第２電源スイッチ装着孔１１６ａ及び第２ソケットコネクタ装着孔１１８ａが形成される。
【００５１】
プリント回路基板１２０は、上部面に信号処理部１２２及び電源スイッチ１０２が実装され、下部面にバッテリ１２４とソケットコネクタ１０４が設置される。この時、信号処理部１２２、電源スイッチ１０２、バッテリ１２４及びソケットコネクタ１０４は、プリント回路基板１２０の回路パターンによって互いに電気的に接続される。
【００５２】
電源スイッチ１０２は、プリント回路基板１２０の上部面一側に設置され、固定部材１１４及びハウジング１１０に形成された第１及び第２電源スイッチ装着孔１１６，１１６ａを介してハウジング１１０の外側面で電源スイッチキャップ１０２ａが結合される。したがって、ユーザは電源スイッチキャップ１０２ａを押して携帯用スピーカ装置１００を動作させる。
【００５３】
ソケットコネクタ１０４は、電源スイッチ１０２の下部でプリント回路基板１２０の下部面一側に設置され、固定部材１１４及びハウジング１１０に形成された第１及び第２ソケットコネクタ装着孔１１８，１１８ａを介してハウジング１１０の外部からモバイル機器２０のプラグコネクタ１０又は充電用コネクタ（図１０の３４０）が挿入されるように具備される。
【００５４】
信号処理部１２２は、例えば、少なくとも１つの半導体集積回路（ＩＣ）で具備され、図７に示すように、モバイル機器２０と互いに無線通信可能なように処理する無線通信部１０３と、無線通信部１０３に受信された音源データの再生音を第１及び第２スピーカ１０６，１０８に出力するように処理する音源処理部１０５及び信号処理部１２２のあらゆる動作を制御するコントローラ１０１を含む。ここで、信号処理部１２２は、１つの半導体集積回路（ＩＣ）で具備されるものと説明しているが、無線通信部１０３、音源処理部１０５及びコントローラ１０１の各々は半導体集積回路（ＩＣ）又は回路モジュールで具備されてもよい。
【００５５】
コントローラ１０１は、携帯用スピーカ装置１００とモバイル機器２０が互いに無線通信可能なように無線通信部１０３を制御し、無線通信部１０３から受信した音源データを第１及び第２スピーカ１０６，１０８に出力するように音源処理部１０５を制御する。また、コントローラ１０１は、電源スイッチ１０２が押されると、携帯用スピーカ装置１００に電源を供給するようにバッテリ１２４を制御する。また、コントローラ１０１は、外部電源供給源からソケットコネクタ１０４に電源が供給されると、バッテリ１２４を充電制御し、外部電子装置から有線を介してソケットコネクタ１０４にデータが伝送されると、これを受けてデータを処理するように制御する。この場合、ソケットコネクタ１０４を通して伝送されるデータは音源データ、又はコントローラ１０１のアップグレード用ファームウェア（ｆｉｒｍｗａｒｅ）などが含まれてもよい。
【００５６】
バッテリ１２４は、再充電可能な２次電池で具備され、コントローラ１０１の制御を受けて携帯用スピーカ装置１００の電源を供給し、外部電源供給源からソケットコネクタ１０４を通して供給される電源を用いて充電される。
【００５７】
第１装着部材１３０は、容器結合部１３２、ハウジング結合部１３６及び平板部１３８を含む。容器結合部１３２は、円筒状で具備されて容器２００〜２３０の開口部２０２が挿入されることができる内部空間１３４を形成する。ハウジング結合部１３６は、上端に外側に突出されるリング形状に形成され、ハウジング１１０の内側下端と結合される。ここで、ハウジング結合部１３６は、ハウジング１１０の内側下端に形成された結合溝１１９に固定結合される。そして、平板部１３８は、ハウジング結合部１３６の内側に円形の平板で具備され、第２ラバーダンパ１０９の下部に積層されてハウジング１１０の下部面を覆う。したがって、ハウジング１１０の開放された上部と下部は保護カバー１１２と第１装着部材１３０によって密閉される。
【００５８】
ここで、第１装着部材１３０に容器が装着される場合、容器２００〜２３０の開口部２０２は平板部１３８に密着挿入されて容器２００〜２３０の内部空間を密閉させて真空管と類似した機能（例えば、再生音を整流、増幅等）を行うことができる。
【００５９】
そして、第２装着部材１４０は、第１装着部材１３０の容器結合部１３２の下端と結合される。第２装着部材１４０は、内壁１４８と外壁１４６で構成され、内壁１４８と外壁１４６の上部は互いに所定間隔離隔して第１装着部材１３０の容器結合部１３２が挿入される容器結合部挿入口１４２が形成される。また、第２装着部材１４０は、内壁１４８の内部空間に容器２００〜２３０の開口部２０２が挿入される容器挿入口１４４が形成される。
【００６０】
したがって、第２装着部材１４０は、容器挿入口１４４に容器２００〜２３０の開口部２０２が挿入されると、弾性力を有する内壁１４８が容器２００〜２３０の開口部２０２の直径大きさに応じて所定間隔Ｄ範囲内で広がるようになる。したがって、第２装着部材１４０は、多様な直径を有する容器２００〜２３０を挿入、装着できる。この時、容器２００〜２３０の開口部２０２は、第１装着部材１３０の平板部１３８に密着挿入されて容器２００〜２３０の内部空間が密閉され、真空管と類似した機能（例えば、再生音を整流、増幅等）を行うことができる。
【００６１】
続いて、図８は、本発明の一実施形態に係る携帯用スピーカ装置が容器に装着された状態を示す図で、図９は、本発明の他の実施形態に係る携帯用スピーカ装置が多様な大きさの容器に装着された状態を示す図である。
【００６２】
図８を参照すると、この実施形態の携帯用スピーカ装置１００は、第１装着部材１３０の容器結合部１３２に容器２００が挿入、装着される。この時、容器結合部１３２の直径Ｄは容器２００の開口部２０２の直径Ｄ１より小さいので、容器２００の開口部２０２は容器結合部１３２の外側面に挿入される。無論、容器２００の開口部２０２が容器結合部１３２の直径と同じ場合は、容器結合部１３２の内側空間（図２の１３４）に容器２００の開口部２０２が挿入されることもできる。
【００６３】
したがって、携帯用スピーカ装置１００から音源データが再生されると、再生音の高音は外部に出力され、低音は容器２００の内部空間を介して外部に出力されるので、容器２００が真空管と類似した機能を処理する。
【００６４】
他の例として、図９に示すように、この実施形態の携帯用スピーカ装置１００は、第１装着部材１３０に第２装着部材１４０が結合され、第２装着部材１４０に多様な大きさの直径Ｄ２、Ｄ３、Ｄ４を有する容器２１０〜２３０が挿入、装着される。すなわち、（ａ）に示す第１容器２１０の開口部直径Ｄ２は（ｂ）に示す第２容器２２０の開口部直径Ｄ３に比べて小さく、（ｃ）に示す第３容器２３０の開口部直径Ｄ４は第２容器２２０の開口部直径Ｄ３に比べて大きい。また、第１乃至第３容器２１０〜２３０は、図８に示す容器２００の開口部直径Ｄ１に比べて小さい。
【００６５】
したがって、携帯用スピーカ装置１００は、第１装着部材１３０に容器２１０〜２３０を装着できない場合は第２装着部材１４０を第１装着部材１３０に装着して多様な大きさの直径Ｄ２、Ｄ３、Ｄ４を有する容器２１０〜２３０を装着できる。
【００６６】
図１０及び図１１は、本発明の携帯用スピーカ装置が装着されるスタンドの構成と据え置き状態を示す図面である。
【００６７】
図１０及び図１１を参照すると、本発明の携帯用スピーカ装置１００は、携帯用に具備され、ユーザが野外活動中に屋外の多様な場所で音楽を鑑賞できる。また、本発明の携帯用スピーカ装置１００は、普段は室内でも使用可能で、そのために普段は据え置くか、又は、音楽の鑑賞及び／又はバッテリ１２４の充電をするためのスタンド３００をさらに具備する。
【００６８】
スタンド３００は、室内の設置場所に置かれる支持部３１０と、下端が支持部３１０に固定されるピラー（ｐｉｌｌａｒ）３２０と、ピラー３２０の上端に設置され、携帯用スピーカ装置１００の第１装着部材１３０が挿入されて携帯用スピーカ装置１００を据え置く据え置き部３３０及び、据え置き部３３０の一側に具備され携帯用スピーカ装置１００のソケットコネクタ１０４に挿入されて、携帯用スピーカ装置１００のバッテリ１２４を充電させる充電用プラグコネクタ３４０、すなわち、充電端子を含む。
【００６９】
支持部３１０は、一側に電源プラグが具備され、内部に電源プラグを介して交流電源を受けて直流電源に変換して充電端子３４０に電源を供給する電源アダプタ（図示せず）が具備されてもよい。
【００７０】
ピラー３２０は、据え置かれた携帯用スピーカ装置１００の据え置き方向を調節するために全部又は上端一部がフレキシブルパイプ（ｆｌｅｘｉｂｌｅ  ｐｉｐｅ）で具備される。他の例として、ピラー３２０と据え置き部３３０の間の特定位置に据え置き方向を段階的に調節するための角度調節部（図示せず）が具備されてもよい。
【００７１】
据え置き部３３０は、例えば、逆円錐（又は漏斗）形と略同様に具備され、上部が開放され、携帯用スピーカ装置１００の第１装着部材１３０が挿入される挿入口３３２が具備される。
【００７２】
充電端子３４０は、例えば、マイクロＵＳＢタイプで具備され、支持部３１０、ピラー３２０及び据え置き部３３０の内部に設置されたケーブルを介して電源プラグと電気的に接続される。充電端子３４０は、携帯用スピーカ装置１００のコネクタ１０４に挿入され、これを通じて、バッテリ１２４を充電する。
【００７３】
したがって、スタンド３００は、普段は室内で携帯用スピーカ装置１００を使用しない場合に携帯用スピーカ装置１００を据え置き及び保管するか、又は携帯用スピーカ装置１００を据え置いて音楽を鑑賞したりバッテリ１２４を充電させたりすることができる。
【００７４】
そして、図１２は、本発明による携帯用スピーカ装置の利用手順を示すフローチャートである。
【００７５】
図１２を参照すると、本発明の携帯用スピーカ装置１００は、ステップＳ４００にて、電源スイッチ１０２を押して携帯用スピーカ装置１００の電源を供給する。ステップＳ４１０にて、モバイル機器２０、例えば、スマートフォンから無線通信を介して携帯用スピーカ装置１００を認識し、スマートフォンと携帯用スピーカ装置１００を接続する。
【００７６】
ステップＳ４２０にて、携帯用スピーカ装置１００が装着された容器２００〜２３０の開口部２０２の直径が第１装着部材１３０に装着可能な大きさであるかを判別する。すなわち、容器２００〜２３０が第１装着部材１３０に装着可能であるか、又は第２装着部材１４０に装着可能であるかによって第２装着部材１４０、すなわち、クレードル（ｃｒａｄｌｅ）が必要であるかを判別する。
【００７７】
判別の結果、第１装着部材１３０に容器２００が装着可能であれば、クレードルが不要なのでステップＳ４４０に進み、第２装着部材１４０に容器２１０〜２３０が装着可能であれば、クレードルが必要なのでこの手順はステップＳ４３０に進み、第１装着部材１３０に第２装着部材１４０を装着する。
【００７８】
ステップＳ４４０にて、携帯用スピーカ装置１００を第１又は第２装着部材１３０又は１４０を介して容器２００又は２１０〜２３０に装着する。ステップＳ４５０にて、スマートフォンで音源データを再生すると、スマートフォンから無線通信を介して再生された音源データを受け入れ、次いで、ステップＳ４６０にて、音源データの再生音を出力する。
【００７９】
上述のように、本発明の携帯用スピーカ装置１００は、少なくとも１つのスピーカ１０６，１０８を具備し、下部が多様な種類、材質、形状及び大きさによる容器２００〜２３０に装着され、音源データの再生音を出力することによって、ユーザに新しい方式と感じで音楽を鑑賞できるように提供される。
【００８０】
以上、本発明による携帯用スピーカ装置の構成及び作用を詳細な説明及び図面によって図示したが、これは実施形態を挙げて説明したものに過ぎず、本発明の技術的思想から逸脱しない範囲内で多様な変化及び変更が可能である。
【図１】
0006585287.tif 000002
【図２】
0006585287.tif 000003
【図３】
0006585287.tif 000004
【図４】
0006585287.tif 000005
【図５】
0006585287.tif 000006
【図６】
0006585287.tif 000007
【図７】
0006585287.tif 000008
【図８】
0006585287.tif 000009
【図９】
0006585287.tif 000010
【図１０】
0006585287.tif 000011
【図１１】
0006585287.tif 000012
【図１２】
0006585287.tif 000013